(57)【特許請求の範囲】
【請求項１】
操作部とコネクタとの間を連結するユニバーサルケーブルと、
このユニバーサルケーブルの内部に挿通される信号ケーブルと、
前記コネクタのユニバーサルケーブルが延出される部分における前記信号ケーブルの配線経路に配置され、内側に前記信号ケーブルが挿通される円筒状のフレームと、
このフレームの胴部に形成され、前記信号ケーブルが挿通自在な孔と、
を具備しており、
前記孔から前記信号ケーブルの余長部分が前記フレームの外周側に引き出されて、前記フレームの外周に前記余長部分を巻回収納すると共に、
前記信号ケーブルの前記余長部分を巻回収納した前記フレームの前記胴部を、前記コネクタに着脱自在に固定される硬質管により覆い、
外力からの応力集中を軽減するよう折れ止めによって前記硬質の管を覆うことを特徴とする内視鏡。
【請求項２】
前記フレームは、外周に周溝を備え、前記周溝の底面の胴部に前記ケーブルの前記余長部分が巻回収納されることを特徴とする請求項１に記載の内視鏡。
【請求項３】
前記周溝の前記底面の胴部に前記孔を形成したことを特徴とする請求項２に記載の内視鏡。
【請求項４】
前記信号ケーブルの前記余長部分は、前記胴部の前記孔からループ状に引き出されて、２つに折り返された状態で前記胴部に巻回収納されることを特徴とする請求項３に記載の内視鏡。
【請求項５】
前記フレームは円管状であり、前記孔は長孔であることを特徴とする請求項４に記載の内視鏡。
【請求項６】
前記胴部に巻回収納された前記信号ケーブルの前記余長部分を固定する固定部材を有していることを特徴とする請求項１から請求項５のいずれかに記載の内視鏡。
【請求項７】
前記信号ケーブルは、一端が撮像装置と接続され、他端が周辺機器と着脱される電気コネクタに接続されることを特徴とする請求項１から請求項６のいずれかに記載の内視鏡。
【発明の詳細な説明】
【技術分野】
【０００１】
本発明は、内部にケーブルを有する内視鏡に関する。
【背景技術】
【０００２】
従来の内視鏡は、スコープケーブル一体型の内視鏡コネクタを有しているものがある。この内視鏡には、撮像ユニットの撮像信号を伝送する撮像ケーブルが挿入部から、操作部、複合ケーブルであるユニバーサルケーブル、内視鏡コネクタの光源コネクタおよびスコープケーブルを経由してビデオプロセッサに接続される内視鏡コネクタのビデオコネクタに繋がっている。また、操作部のスイッチング信号を伝送するスイッチングケーブルは、操作部から、ユニバーサルケーブル、内視鏡コネクタの光源コネクタおよびスコープケーブルを経由してビデオコネクタに繋がっている。これら電気的信号を伝送するケーブルは、修理作業性を考慮してリペアのための余長を設けて、そのケーブル余長の取り回し、他の内蔵物にストレスを与えないなどのため、例えば、ＪＰ特開２００１−２５２２４５号公報に開示されるように、中途部が円状に巻回されてケーブル収容部に収容される。【０００３】
しかしながら、従来の内視鏡の構造では、新たな部品としてのボビンに電気的信号を伝送するケーブル余長を巻回してケーブル収容部に押し込むというブラインドの作業が必要であり、組立時のボビンを組み付けるときまたはケーブル収容部を閉じる時に、ケーブル余長を外装ケースなどで挟んでしまい断線、損傷などする可能性がある。また、ボビンの直径は固定であり、ボビンに巻付けるケーブル余長の長さは、ボビンの直径により決められてしまう。つまり、必要巻き数分だけボビンから解いたケーブルの長さと、リペア等で必要となるケーブルの長さが一致しない場合があり、この場合、差分の長さのケーブルがだぶついてしまい、組立時のケーブル収容部を閉じる時にこのだぶついたケーブルを外装ケースなどで挟んでしまい断線、損傷などする可能性がある。【０００４】
そこで、本発明は、上記事情に鑑みてなされたものであり、部品を増やすことなく信号を伝送するケーブルの余長を無理なく収容できる内視鏡を提供することを目的とする。
【発明の開示】
【課題を解決するための手段】
【０００５】
本発明による一態様の内視鏡は、操作部とコネクタとの間を連結するユニバーサルケーブルと、このユニバーサルケーブルの内部に挿通される信号ケーブルと、前記コネクタのユニバーサルケーブルが延出される部分における前記信号ケーブルの配線経路に配置され、内側に前記信号ケーブルが挿通される円筒状のフレームと、このフレームの胴部に形成され、前記信号ケーブルが挿通自在な孔と、を具備しており、前記孔から前記信号ケーブルの余長部分が前記フレームの外周側に引き出されて、前記フレームの外周に前記余長部分を巻回収納すると共に、前記信号ケーブルの前記余長部分を巻回収納した前記フレームの前記胴部を、前記コネクタに着脱自在に固定される硬質管により覆い、外力からの応力集中を軽減するよう折れ止めによって前記硬質の管を覆っている。
【図面の簡単な説明】
【０００６】
【図１】内視鏡装置の全体構成を示す斜視図
【図２】周辺機器と内視鏡コネクタを示す斜視図
【図３】光源プラグの構成を示す斜視図
【図４】光源プラグの構成を示す断面図
【図５】洗浄消毒装置のタグ読取部へ内視鏡２をかざす前の状態を示す斜視図
【図６】洗浄消毒装置のタグ読取部へ内視鏡２をかざした状態を示す斜視図
【図７】電気プラグの構成を示す斜視図
【図８】電気プラグの構成を示す分解斜視図
【図９】電気ケーブルがコネクタ枠に巻回収納される前の状態を示す斜視図
【図１０】電気ケーブルがコネクタ枠に巻回収納された状態を示す斜視図
【図１１】電気ケーブルがコネクタ枠に巻回収納された状態を示す断面図
【図１２】コネクタ枠にコネクタカバー、補強管および折れ止めが組み付けられた状態を示す断面図
【図１３】変形例の長孔の構成を示す平面図
【図１４】変形例の長孔の構成を示す断面図
【図１５】カバー体が設けられたコネクタ枠の断面図
【図１６】第１の参考例の光源プラグのコネクタケースに設けられるアース端子の装着構成を示す断面図
【図１７】アース端子を装着する部分にガタ付き防止板が設けられた光源プラグのコネクタケースおよび金属フレームを示す斜視図
【図１８】ガタ付防止板にストッパが設けられた光源プラグのコネクタケースおよび金属フレームを示す斜視図
【図１９】第２の参考例の光源プラグのコネクタケースに設けられる前方送水口金の装着構成を示す断面図
【図２０】前方送水口金を装着する部分の光源プラグのコネクタケースを示す斜視図
【図２１】前方送水口金を装着する部分にガタ付防止板が設けられた光源プラグのコネクタケースを示す斜視図
【図２２】ガタ付防止板にストッパが設けられた光源プラグのコネクタケースを示す斜視図
【図２３】第３の参考例の送気送水ブロックを示す斜視図
【図２４】コネクタケースに設けられる送水口金および送気口金と内部に設けられる送気送水ブロックの装着構成を示す光源プラグの断面図
【図２５】コネクタケースに設けられる送水口金および送気口金と内部に設けられる送気送水ブロックの装着構成を示す横断面図
【図２６】コネクタケースに設けられる送水口金および送気口金と内部に設けられる送気送水ブロックの装着構成を示す縦断面図
【発明を実施するための最良の形態】
【０００７】
以下、図面を参照して本発明の実施の形態を説明する。図１から図１５は本発明の一態様に係り、図１は内視鏡装置の全体構成を示す斜視図、図２は周辺機器と内視鏡コネクタを示す斜視図、図３は光源プラグの構成を示す斜視図、図４は光源プラグの構成を示す断面図、図５は洗浄消毒装置のタグ読取部へ内視鏡２をかざす前の状態を示す斜視図、図６は洗浄消毒装置のタグ読取部へ内視鏡２をかざした状態を示す斜視図、図７は電気プラグの構成を示す斜視図、図８は電気プラグの構成を示す分解斜視図、図９は電気ケーブルがコネクタ枠に巻回収納される前の状態を示す斜視図、図１０は電気ケーブルがコネクタ枠に巻回収納された状態を示す斜視図、図１１は電気ケーブルがコネクタ枠に巻回収納された状態を示す断面図、図１２はコネクタ枠にコネクタカバー、補強管および折れ止めが組み付けられた状態を示す断面図、図１３は変形例の長孔の構成を示す平面図、図１４は変形例の長孔の構成を示す断面図、図１５はカバー体が設けられたコネクタ枠の断面図である。【０００８】
図１において、本発明の内視鏡装置１を示す。この内視鏡装置１は、内視鏡２と、この内視鏡２に接続されて照明光の光源を内蔵する光源装置を兼ね、各種信号処理を行うビデオプロセッサの周辺機器である処理装置（カメラコントロールユニット、以下「ＣＣＵ」と記載）３と、ＣＣＵ３から出力される信号を受けて観察部位の画像等を表示する不図示のモニタとを有している。【０００９】
内視鏡２は、観察対象部位へ挿入する細長の中空状長尺部材としての挿入部５と、この挿入部５の基端部に把持部６ａを連設する操作部６と、この操作部６の側面より延設されたユニバーサルケーブル７とを有している。挿入部５は、先端側に照明系、撮像系などが内蔵される先端部８を有し、この先端部８の後部に湾曲自在な可動部としての湾曲部９が連続されている。【００１０】
さらに、湾曲部９の後部には、軟性の管状の部材より形成される長尺で可撓性を有する可撓管部１０が連設されている。また、操作部６には、湾曲部９の湾曲操作を行う湾曲操作ノブ１１ａと、この湾曲操作ノブ１１ａを所望の回転位置で固定するための固定レバー１１ｂとを有する湾曲操作部１１などが所定に配設されている。なお、符号６ｂは処置具挿入口であり、挿入部５に挿通されている処置具チャンネル（図示せず）の基端に連通されている。【００１１】
内視鏡２は、ユニバーサルケーブル７の端部に内視鏡コネクタ４０を有し、この内視鏡コネクタ４０のうち、第１の内視鏡コネクタである光源プラグ２０と、この光源プラグ２０からコネクタケーブル２１を介して接続された第２の内視鏡コネクタである電気プラグ３０とを有している。そして、内視鏡２とＣＣＵ３とは、光源プラグ２０および電気プラグ３０の雄型コネクタがＣＣＵ３に設けられた光源コネクタ３ａおよびレセプタクルコネクタ３ｂの雌型コネクタと係合して接続される。【００１２】
本実施の形態において、光源プラグ２０および光源コネクタ３ａは、円柱型のコネクタであり、光源プラグ２０を光源コネクタ３ａに着脱自在に嵌合し、互いの接点を機械的に接触させることにより、照明光の伝送路および電気的な接続が可能となる。また、本実施の形態において、電気プラグ３０およびレセプタクルコネクタ３ｂは平型のコネクタであり、電気プラグ３０をレセプタクルコネクタ３ｂに着脱自在に嵌合し、互いの接点を機械的に接触させることにより、電気的な接続が可能となる。【００１３】
なお、光源コネクタ３ａまたはレセプタクルコネクタ３ｂは、ＣＣＵ３の筐体の一面（前面部）に、光源プラグ２０または電気プラグ３０を挿入／嵌合するための開口部が露呈するように配設されている。この光源コネクタ３ａおよびレセプタクルコネクタ３ｂのそれぞれには、接続される光源プラグ２０および電気プラグ３０の嵌合状態を保持または解除するためのロック機構部が備えられている。また、ここでは周辺機器であるＣＣＵ３としたが、光源装置およびビデオプロセッサとが別体の周辺機器に光源コネクタ３ａおよびレセプタクルコネクタ３ｂがそれぞれ別々の機器に接続される構成としても良い。【００１４】
次に、本実施の形態の内視鏡２が備える内視鏡コネクタ４０の１つである光源プラグ２０の構成について、図２および図３の図面に基づいて、以下に説明する。なお、本実施の形態の光源プラグ２０は、ユニバーサルケーブル７の終端となる内視鏡２の基端に配設されており、ユニバーサルケーブル７に接続される側を先端（前方）とし、周辺機器（ここではＣＣＵ３）に接続される側を基端（後方）として以下に説明する。さらに、光源プラグ２０は、施術室に載置されたＣＣＵ３に接続されるため、このＣＣＵ３に接続された状態の方向を上下左右方向として以下に説明する。【００１５】
先ず、図２および図３に示すように、光源プラグ２０は、後方側から順に、略円盤状に形成され、外周部にＣリングなどの光源コネクタ３ａと係合するための係合部材２２ａが設けられた接続プラグ部２２と、この接続プラグ部２２に連設された略円筒状のケース体であるコネクタケース２３と、管状のケース体であって、ユーザが主に右手で把持する把持部となるコネクタカバー２４と、によって主に外装が形成されている。【００１６】
接続プラグ部２２の端面（後方端面）からは、上部側に周辺機器からの照明光が入射されるライトガイド口金２６、および下部側に周辺機器からの気体が送気される送気口金２７が延設されている。【００１７】
コネクタケース２３は、一方の側面部に送水口金３８、送気口金３９および漏水検知口金４４が設けられている。さらに、コネクタケース２３は、外周部の上部側中途部分に、製造者、型式、製造年月日、用途などを表示するための銘板３６、および上部側前方部分にアース端子４３が設けられている。【００１８】
なお、光源プラグ２０の上下方向は、上述したように、周辺機器に接続された状態における上下方向であって、ここでは、コネクタケース２３に設けられた銘板３６が上部側であって、この銘板３６が光源プラグ２０の上部を示す指標となっている。【００１９】
さらに、コネクタケース２３の後方上部に、ここでは三角形の指標部２３ａが設けられている。この指標部２３ａは、銘板３６と共に光源プラグ２０の上部を示す指標となると共に、後方側の頂点をＣＣＵ３の前面部（フロントパネル）における光源コネクタ３ａの上方に設けられた、ここでは三角形の指標部３ｃに頂点を合わせることで、光源プラグ２０の光源コネクタ３ａへの接続方向を規定する指標となっている。なお、指標部２３ａは、三角形に限定されること無く、丸、四角など如何なる形状をしていても良い。【００２０】
また、コネクタカバー２４の一側面には、コネクタケーブル２１が延設され、このコネクタケーブル２１の延出根元部分をカバーする折れ止め２５が接続されている。【００２１】
光源プラグ２０は、コネクタカバー２４に覆われた外表面下方部分に凸形成された個体識別部であるタグ内蔵部２８を有している。このタグ内蔵部２８には、コネクタカバー２４内の下部位置に、機種情報記憶タグである、ここでは板状のＲＦＩＤチップ２９が上下方向に直交した水平方向に板面が平行となるように配設されている（図４参照）。なお、コネクタカバー２４のタグ内蔵部２８を形成する外装部は、略円柱形状をしており、下部がＲＦＩＤチップ２９の板面と平行となるように平面形成されている。なお、ＲＦＩＤチップ２９には、内視鏡２の機種情報、シリアルナンバー、後述の内視鏡洗浄消毒装置による洗浄消毒履歴などの各種情報が記憶されている。【００２２】
ところで、内視鏡２は、使用後に洗浄消毒のために外部機器である内視鏡洗浄消毒装置１００（図５、６参照）の洗浄槽にセットされる。このとき、先ず、ＣＣＵ３から内視鏡コネクタ４０が抜き取られる。ユーザは、内視鏡コネクタ４０の光源プラグ２０および電気プラグ３０をＣＣＵ３の光源コネクタ３ａまたはレセプタクルコネクタ３ｂから抜き取る。【００２３】
ユーザは、内視鏡２を把持するとき、挿入部５が長尺で可撓性があるため、また、先端部８に内蔵された照明系や撮像系の破損を防ぐため、さらには内視鏡コネクタ４０の突起部が接触することにより挿入部５の外装が破損することを防ぐために、一方の手で挿入部５を掴み、図５および図６に示すように、他方の手、ここでは左手で操作部６および内視鏡コネクタ４０の光源プラグ２０を一緒に掴む場合が多い。そして、ユーザは、両手で把持した内視鏡２を内視鏡洗浄消毒装置１００まで持ち運び、ここでは内視鏡洗浄消毒装置１００の上部角部に設けられたタグ読取部１０１に光源プラグ２０の下部に設けられたＲＦＩＤチップ２９が内蔵されているタグ内蔵部２８をかざす。【００２４】
このとき、本実施の形態の内視鏡２は、ＲＦＩＤチップ２９を内視鏡コネクタ４０の光源プラグ２０の下部に設けた構成とし、ＲＦＩＤチップ２９が内蔵されているタグ内蔵部２８を、ＣＣＵ３から抜き取られた光源プラグ２０の姿勢のまま内視鏡洗浄消毒装置１００のタグ読取部１０１に容易にかざすことができる。換言すると、ユーザは、内視鏡２をＣＣＵ３から取り外して、内視鏡洗浄消毒装置１００の洗浄槽にセットする前に、ここでは左手で掴んでいる操作部６および内視鏡コネクタ４０の光源プラグ２０の上下方向を保ったままの姿勢を変えずに、手首を返したり、捻ったりすることなく、単に、内視鏡洗浄消毒装置１００のタグ読取部１０１にタグ内蔵部２８をかざして、機種情報などを内視鏡洗浄消毒装置１００に読み取らせることができる。【００２５】
つまり、内視鏡２は、光源プラグ２０の上下方向が規定されている。具体的には、光源プラグ２０は、ＣＣＵ３の光源コネクタ３ａと接続する上下方向がコネクタケース２３に設けられた銘板３６および指標部２３ａが上部側となるように規定されている。そして、ＲＦＩＤチップ２９は、銘板３６および指標部２３ａと反対側の位置に形成されたコネクタカバー２４のタグ内蔵部２８内に配設されている（上部位置にある銘板３６およびに対して、コネクタカバー２４の外周回りに１８０°回転した下方位置）。【００２６】
そして、光源プラグ２０のタグ内蔵部２８の下部がＲＦＩＤチップ２９の板面と平行な平面となっているため、内視鏡洗浄消毒装置１００のタグ読取部１０１の読取面に対して略平行な状態でかざされるため、ＲＦＩＤチップ２９とタグ読取部１０１に内蔵されるリーダ（不図示）が略平行になり、読取エラーの発生が抑えられて確実にＲＦＩＤリーダによる内視鏡情報の読取が行える。つまり、ＲＦＩＤチップ２９の情報を読み取るＲＦＩＤリーダが内蔵されたタグ読取部１０１は、ここでは内視鏡洗浄消毒装置１００の上面の位置に設けられており、ＲＦＩＤチップ２９とタグ読取部１０１のＲＦＩＤリーダとが平行に且つ距離が近接し、確実に読みることができる。【００２７】
なお、光源プラグ２０のＲＦＩＤチップ２９は、上述した構成に限らず、内視鏡洗浄消毒装置１００に設けられるタグ読取部１０１の位置に応じて光源プラグ２０の如何なる位置に設けられていても良い。つまり、ユーザが光源プラグ２０のタグ内蔵部２８を内視鏡洗浄消毒装置１００にけるＲＦＩＤリーダが内蔵されたタグ読取部１０１にかざすときに、ＣＣＵ３の光源コネクタ３ａから抜き取った光源プラグ２０の姿勢を保ったままの状態で、手首を返したり、捻ったりすることなく、ＲＦＩＤチップ２９とＲＦＩＤリーダとが平行に且つ距離が近接する位置であれば光源プラグ２０の如何なる位置でも良い。【００２８】
また、ＲＦＩＤチップ２９は、上述した構成に限らず、周辺機器に接続されるコネクタ、例えば電気プラグ３０に設けても良い。【００２９】
さらに、上述では、ＲＦＩＤチップ２９とＲＦＩＤリーダの構成を示したが、これに限定されることなく、トランスポンダ、バーコードなどを内視鏡２のタグ内蔵部２８側に設け、トランスポンダリーダ、バーコードリーダなど内視鏡洗浄消毒装置１００のタグ読取部１０１側に設けた構成としても良い。【００３０】
次に、本実施の形態の内視鏡装置１が備える内視鏡コネクタ４０の１つである電気プラグ３０の構成について、図７および図８の図面に基づいて、以下に説明する。なお、本実施の形態の電気プラグ３０も、コネクタケーブル２１の終端となる内視鏡２の基端に配設されており、コネクタケーブル２１に接続される側を先端（前方）とし、周辺機器（ここではＣＣＵ３）に接続される側を基端（後方）として以下に説明する。さらに、電気プラグ３０は、ここでも施術室に載置された上記ＣＣＵ３に接続されるため、このＣＣＵ３に接続された状態の方向を上下左右方向として以下に説明する。【００３１】
詳細には、電気プラグ３０は、図７および図８に示す外観形状と接点構造とを有している。【００３２】
電気プラグ３０は、コネクタケーブル２１の根元部に設けられた折れ止め３１が接続される円筒状のスリーブ５１を一体的に備えた平型の外装ケース５２と、この外装ケース５２の後端から突出する端子部５３とを備えている。外装ケース５２および端子部５３のうち、少なくとも端子部５３は、樹脂材等の絶縁部材から形成されている。【００３３】
外装ケース５２は、レセプタクルコネクタ３ｂへ挿入する際の向き確認用として「ＵＰ」などのマーク５４がスリーブ５１側の部位に成形されている。このマーク５４の後方には、レセプタクルコネクタ３ｂのロック機構部に係合する細長の突起部５５が設けられている。また、端子部５３には、複数の電気接点５６が所定の間隔で配置されている。【００３４】
端子部５３は、外装ケース５２内に収容される基盤５７が前方側に接続されており、この基盤５７に接続された複数の信号線を１つに纏めた電気ケーブル５８が延設されている。この電気ケーブル５８は、コネクタケーブル２１内に挿通されて、基盤５７と接続される一端部と反対側の他端部が挿入部５の先端部８に内蔵されたＣＣＤまたはＣＭＯＳなどを搭載した撮像装置（不図示）に接続されている。なお、この電気ケーブル５８は、組み立て、修理、メンテナンスのための作業長として所定の長さのケーブル余長を有している。【００３５】
ところで、電気ケーブル５８のケーブル余長は、内視鏡２内の何れかで収容しなければならない。そこで、本実施の形態では、図９から図１２に示すように、電気ケーブル５８の配線経路となるコネクタカバー２４内に収容された段形成された円筒状のフレーム部材である金属製のコネクタ枠４５の前方端部分に電気ケーブル５８を巻回して収納する構成となっている。【００３６】
具体的には、コネクタ枠４５は、外向フランジ形状のリブ４６と、このリブ４６の後方側に形成された段部４７と、リブ４６と段部４７との間である、コネクタ枠４５の外周に設けられた周溝の底面の胴部に穿孔された両端が円弧状に形成された長孔４８と、を有し、これらリブ４６および段部４７によって形成された所定幅の周溝に電気ケーブル５８が巻回される。【００３７】
詳述すると、撮像装置に接続された電気ケーブル５８は、挿入部５、操作部６およびユニバーサルケーブル７の内部に通され、コネクタ枠４５の前端開口部から挿通されて、コネクタカバー２４の側部から延出された後、端子部５３の基盤５７と接続される。そして、電気ケーブル５８のケーブル余長は、コネクタ枠４５の長孔４８からループ状に引き出されて、２つに折り返された後（図９参照）、コネクタ枠４５のリブ４６と段部４７との間の胴部に巻回される（図１０参照）。巻回された電気ケーブル５８のケーブル余長は、解れなどが生じないように、外周部分にテープ４９などの固定部材で、ばらけないように固定される（図１１参照）。【００３８】
その後、コネクタ枠４５には、コネクタカバー２４が装着され、このコネクタカバー２４の前端外周を覆うように金属製の補強管１８が螺着される。最後に補強管１８の外周部を覆うように外力からの応力集中を軽減するためのカバーである折れ止め１９が装着される（図１２参照）。なお、補強管１８は折れ止め１９にインサート成形等により一体的に形成されてもよい。【００３９】
なお、コネクタ枠４５の長孔４８は、電気ケーブル５８の損傷防止のため、ここでは両端が円弧状となっているが、これに限定されること無く、四隅の角部４８ａをＲ形成したり（図１３参照）、真円状の孔としたり、開口面の角部４８ｂを面取りしたり（図１４参照）しても良い。また、ここでは、長孔４８をコネクタ枠４５の外周に設けられた周溝の胴部からはみ出ることなく設けているが、これに限定されること無く、長孔４８を周溝の胴部からコネクタ枠４５の端面まで延ばした、つまり、コネクタ枠４５の管軸方向に、コネクタ枠４５のユニバーサルケーブル７側の端面から周溝の胴部まで穿孔された、Ｕ字状の切り欠きとしても良い。さらに、コネクタ枠４５は、図１５に示すように、長孔４８が形成された内径部分に電気ケーブル５８と他の内蔵部を離隔するためのカバー体４５ａを設けても良い。【００４０】
このように、本実施の形態の内視鏡２は、電気ケーブル５８における組み立て、修理、メンテナンスのためのケーブル余長を、任意の長さで、部品点数を増やすことなく従来から備えているコネクタ枠４５の胴部に巻回して収納する構成となっている。また、コネクタ枠４５の前端部分は、内視鏡２の組立時に露出しているため、電気ケーブル５８のケーブル余長を収納する作業が目視で行えるため、電気ケーブル５８のケーブル余長を補強管１８、折れ止め１９などの外装ケースで挟むことがなく、電気ケーブル５８の断線、損傷などの発生が防止できる構成となっている。【００４１】
なお、ここでは、電気ケーブル５８のケーブル余長を、光源プラグ２０のコネクタカバー２４内のユニバーサルケーブル７側のコネクタ枠４５の周溝の胴部に巻回して収納した構成を示したが、これに限定されること無く、例えば、光源プラグ２０のコネクタケーブル２１側の端部内のフレームや、操作部６のユニバーサルケーブル７側または挿入部５側の端部内のフレーム、電気プラグ３０のコネクタケーブル２１側の端部内のフレームのように、電気ケーブル５８の挿通経路にある管状枠体に長孔を形成して、その枠体の胴部に巻回して電気ケーブル５８のケーブル余長を収納しても良い。また、ここでは、円管状のコネクタ枠４５に周溝および長孔４８を設けているが、これに限定されることなく、電気ケーブル５８が挿通される管状部材であれば、例えば外形が略四角形の管状部材の外周に設けられた周溝の胴部に、電気ケーブル５８を引き出す長孔４８を設けて巻回してもよい。また、長孔４８から引き出され胴部に巻回されるケーブルは、1本に限らず、複数本のケーブルを巻回してもよい。さらに、ここでは、撮像装置に接続された電気ケーブル５８を例に挙げたが、これに限定されること無く、内視鏡２内に配設される線状部材であれば、例えばライトガイドケーブル、ＬＥＤ光源を備えた内視鏡のＬＥＤ光源に接続される電気ケーブル、流体供給/吸引用のチューブ、超音波内視鏡の超音波振動子に接続される電気ケーブルなどの余長を上述した構成で巻回収納するようにしても良い。【００４２】
（参考例）
次に、図１６から図２４に基づいて、本願の内視鏡２が備えた構成の参考例を以下に説明する。【００４３】
（第１の参考例）
図１６から図１８が第１の参考例に係り、図１６は光源プラグのコネクタケースに設けられるアース端子の装着構成を示す断面図、図１７はアース端子を装着する部分にガタ付き防止板が設けられた光源プラグのコネクタケースおよび金属フレームを示す斜視図、図１８はガタ付防止板にストッパが設けられた光源プラグのコネクタケースおよび金属フレームを示す斜視図である。【００４４】
図１６から図１８に示すように、アース端子４３は、コネクタケース２３内の補剛部材である金属コネクタ枠のフレーム６１と接触して電気的に導通するように固定される。その固定に関し、フレーム６１には、ネジ孔が形成された２つの突起部６１ａを有し、これら２つ突起部６１ａにガタ付防止板６２の２つの孔部が個々に遊嵌して配置される（図１７参照）。そして、ガタ付防止板６２は、例えば、フランジ付きネジである２つのストッパ６３が突起部６１ａに個々に螺着されて、これら２つのストッパ６３に当接することでフレーム６１から所定の範囲に可動できる状態で外れないように装着される。なお、ガタ付防止板６２には、アース端子４３の端部が螺合する螺合部のネジ孔６４を備えている。【００４５】
アース端子４３は、コネクタケース２３の孔部６５に挿嵌されて、ガタ付防止板６２のネジ孔６４に螺着される。アース端子４３とガタ付防止板６２との螺合時に、フレーム６１に遊嵌されたガタ付防止板６２が浮上されてストッパ６３に突き当たる。そして、アース端子４３は、フレーム６１と接触して電気的に導通するように固定される。なお、アース端子４３には、コネクタケース２３の孔部６５へ装着時の気密を保持するためのＯリングなどのシール４３ａが設けられている。【００４６】
このように、本参考例においては、コネクタケース２３の孔部６５の位置に製造時の部品バラツキ、変形が生じていても、フレーム６１に遊嵌装着されたガタ付防止板６２が適正な位置に移動するため、アース端子４３の中心軸と孔部６５の中心軸とのずれを抑えることができ、コネクタケース２３の気密が確実に保持できるとともに、安定してアース端子４３がフレーム６１と接触して電気的に導通するように固定することができる。【００４７】
（第２の参考例）
図１９から図２２が第２の参考例に係り、図１９は光源プラグのコネクタケースに設けられる前方送水口金の装着構成を示す断面図、図２０は前方送水口金を装着する部分の光源プラグのコネクタケースを示す斜視図、図２１は前方送水口金を装着する部分にガタ付防止板が設けられた光源プラグのコネクタケースを示す斜視図、図２２はガタ付防止板にストッパが設けられた光源プラグのコネクタケースを示す斜視図である。【００４８】
図１９から図２２に示すように、ここでは、第１の参考例と同様に、前方送水口金４１の装着に関しても、前方送水口金４１は、コネクタケース２３内の強度部材であるフレーム６１とガタ付防止板６６を介して固定される。なお、前方送水口金４１は、フレーム６１上に設置される前方送水管路４１ｂに接続された管路ブロック７０に挿嵌される。【００４９】
それらの固定に関し、先ず、前方送水管路４１ｂに接続された管路ブロック７０がフレーム６１上の所定の位置に載置される（図２０参照）。そして、フレーム６１の２つ突起部６１ａにガタ付防止板６６の２つの孔部が個々に遊嵌して配置される（図２１参照）。なお、ここでのガタ付防止板６６は、管路ブロック７０と接触しないように、断面ハット形状の板部材である。そして、ガタ付防止板６６は、ここでも、例えば、フランジ付きネジである２つのストッパ６３が突起部６１ａに個々に螺着されて、これら２つのストッパ６３に当接することでフレーム６１から所定の範囲に可動できる状態で外れないように装着される（図２２参照）。  
なお、ここでのガタ付防止板６６には、前方送水口金４１の端部が螺合する螺合部のネジ孔６７を備えている。【００５０】
前方送水口金４１は、コネクタケース２３の孔部６８に挿嵌されて、端部が管路ブロック７０と嵌合された状態で、ガタ付防止板６６のネジ孔６７に螺着される。ここでも、前方送水口金４１とガタ付防止板６６との螺合時に、フレーム６１に遊嵌されたガタ付防止板６６が浮上されてストッパ６３に突き当たる。そして、前方送水口金４１は、フレーム６１と管路ブロック７０を介して固定される。このとき、管路ブロック７０は、前方送水口金４１にフレーム６１側へ押え付けられ、その底面がフレーム６１の表面に突き当たって固定される。【００５１】
なお、前方送水口金４１には、コネクタケース２３の孔部６８へ装着時の気密を保持するためのＯリングなどのシール４１ａが設けられている。また、管路ブロック７０には、前方送水口金４１との気密を保持するためのＯリングなどのシール６５ａが設けられている。【００５２】
このように、本参考例においても、コネクタケース２３の孔部６８の位置に製造時の部品バラツキ、変形が生じていても、フレーム６１に遊嵌装着されたガタ付防止板６６が適正な位置に移動するため、前方送水口金４１の中心軸と孔部６８の中心軸とのずれを抑えることができ、コネクタケース２３の気密が確実に保持できるとともに、安定して前方送水口金４１をフレーム６１に管路ブロック７０を介して固定することができる。【００５３】
（第３の参考例）
図２３から図２６が第３の参考例に係り、図２３は送気送水管路を内蔵する送気送水ブロックを示す斜視図、図２４はコネクタケースに設けられる送水口金および送気口金と内部に設けられる送気送水ブロックの装着構成を示す光源プラグの断面図、図２５はコネクタケースに設けられる送水口金および送気口金と内部に設けられる送気送水ブロックの装着構成を示す横断面図、図２６はコネクタケースに設けられる送水口金および送気口金と内部に設けられる送気送水ブロックの装着構成を示す縦断面図である。【００５４】
図２３から図２６に示すように、ここでは、第１および第２の参考例と同様に、送水口金３８および送気口金３９の装着に関しても、送水口金３８および送気口金３９は、コネクタケース２３内の強度部材であるフレーム６１および送気送水ブロック７１（図２３参照）とガタ付防止板７２を介して固定される。【００５５】
送水口金３８および送気口金３９は、コネクタケース２３およびコネクタケース２３内に配設されたフレーム６１に挿嵌され、フレーム６１内の送気送水ブロック７１に端部が嵌合される。送水口金３８および送気口金３９と送気送水ブロック７１の間には、ガタ付防止板７２が設けられ、送水口金３８および送気口金３９は、ガタ付防止板７２に螺合される。なお、ガタ付防止板７２は、フレーム６１の内面に当接するように設けられている。【００５６】
ここでは、送水口金３８および送気口金３９がガタ付防止板７２に螺合されると、送水口金３８および送気口金３９の端面が嵌挿する送気送水ブロック７１に突き当たり、送気送水ブロック７１の一面がフレーム６１の内面の一面に突き当たると共にガタ付防止板７２がフレーム６１の内面の一面と反対側の他面に突き当たる。つまり、送水口金３８および送気口金３９のガタ付防止板７２への螺合量が増すと、ガタ付防止板７２と送気送水ブロック７１が離反する方向に移動して、それぞれの面がフレーム６１の相対する内面に突き当たり、送水口金３８および送気口金３９が固定される。なお、このように固定された送水口金３８および送気口金３９は、コネクタケース２３および送気送水ブロック７１とＯリングなどのシールによって気密保持されている。【００５７】
以上の説明から本参考例においても、ガタ付防止板７２により、送水口金３８および送気口金３９の中心軸と、各々が挿通するコネクタケース２３に設けられた孔部の中心軸とのずれを抑えることができ、コネクタケース２３の気密が確実に保持できるとともに、安定して送水口金３８および送気口金３９を光源プラグ２０のコネクタケース２３の所定の位置に固定することができる。【００５８】
以上の実施の形態に記載した発明は、その実施の形態および変形例に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得るものである。【００５９】
例えば、実施の形態に示される全構成要件から幾つかの構成要件が削除されても、述べられている課題が解決でき、述べられている効果が得られる場合には、この構成要件が削除された構成が発明として抽出され得るものである。【００６０】
本出願は、２０１１年１１月２９日に日本国に出願された特願２０１１−２６０７７４号を優先権主張の基礎として出願するものであり、上記の内容は、本願明細書、請求の範囲、および図面に引用されたものである。
【要約】
内視鏡２は、ケーブル５８の配線経路に配設され、ケーブル５８が挿通する円管状のフレーム４５と、このフレーム４５の胴部に形成され、ケーブル５８が挿通自在な孔４８と、を備え、この孔４８からケーブル５８の余長が引き出されて、フレーム４５の胴部に余長を巻回収納することで、部品を増やすことなく信号を伝送するケーブルの余長を無理なく収容できる。【図１】
0005385483.tif 000002
【図２】
0005385483.tif 000003
【図３】
0005385483.tif 000004
【図４】
0005385483.tif 000005
【図５】
0005385483.tif 000006
【図６】
0005385483.tif 000007
【図７】
0005385483.tif 000008
【図８】
0005385483.tif 000009
【図９】
0005385483.tif 000010
【図１０】
0005385483.tif 000011
【図１１】
0005385483.tif 000012
【図１２】
0005385483.tif 000013
【図１３】
0005385483.tif 000014
【図１４】
0005385483.tif 000015
【図１５】
0005385483.tif 000016
【図１６】
0005385483.tif 000017
【図１７】
0005385483.tif 000018
【図１８】
0005385483.tif 000019
【図１９】
0005385483.tif 000020
【図２０】
0005385483.tif 000021
【図２１】
0005385483.tif 000022
【図２２】
0005385483.tif 000023
【図２３】
0005385483.tif 000024
【図２４】
0005385483.tif 000025
【図２５】
0005385483.tif 000026
【図２６】
0005385483.tif 000027